(57)【要約】【課題】取付作業を容易に行うことのできる壁パネル装置を低コストで提供する。【解決手段】上下方向に延びる支持体２１と、支持体２１に支持され、物品を係止可能な溝３３を有した横架材３０と、横架材３０の上方および下方の少なくとも一方に配置され、横架材３０の端部に隣接した部分で支持体２１の表面２１ａに沿う押さえ片４４，４５を有したパネル体４０と、押さえ片４４，４５を支持体２１の表面２１ａに固定する押さえ部材と、を備える。【選択図】図４
2014091985.tif 000002
【特許請求の範囲】
【請求項１】
上下方向に延びる支持体と、
前記支持体に支持された横架材と、
前記横架材の上方および下方の少なくとも一方に配置され、前記横架材の両端部外側に隣接した部分で前記支持体の表面に沿う押さえ片を有したパネル体と、
前記押さえ片を前記支持体の表面に固定する押さえ部材と、を備えることを特徴とする壁パネル装置。
【請求項２】
前記横架材は、一対の前記支柱を結ぶ方向に連続して、物品を係止可能な溝が形成されていることを特徴とする請求項１に記載の壁パネル装置。
【請求項３】
前記押さえ部材は、隣接する前記横架材の前記溝に連続する溝部を備えることを特徴とする請求項２に記載の壁パネル装置。
【請求項４】
前記押さえ部材の前記溝部には、前記横架材に隣接する側と反対側の端部に、前記溝部の底面から突出するストッパ部が形成されていることを特徴とする請求項３に記載の壁パネル装置。
【請求項５】
前記押さえ片に貫通孔または凹部が形成され、
前記押さえ部材には、前記押さえ片に対向する側に前記貫通孔または前記凹部に嵌り込む凸部が形成されていることを特徴とする請求項１から４のいずれか一項に記載の壁パネル装置。
【発明の詳細な説明】
【技術分野】
【０００１】
本発明は、床面上に立設する壁パネル装置に関する。
【背景技術】
【０００２】
オフィスや公共施設等の執務空間や、居住空間内においては、空間内を複数の空間に区画するために間仕切り装置を床面上に立設して設置する場合が多く見られている。
また、オフィスや公共施設等の執務空間や店舗等においては、いわゆる内装工事として、建築構造物の壁面に沿って、床面上に立設するフレームを設け、このフレームに化粧パネルを設けることが広く行われている。
このほか、病院や介護施設等の病室において、患者の看護・介護作業に使用する医療用ガスや電源を供給するための配管や配線が壁面に沿って設けられている場合に、これらの配管や配線を覆う補助壁パネルを設けることが行われている。このような補助壁パネルは、床面上に立設して上下方向に延びる複数本の支柱間に、横桟材を掛け渡したフレームを壁面に固定し、このフレームの前面に化粧パネルを取り付けることで、配管や配線を壁面と化粧パネルとの間に配置している。
【０００３】
上記したような場合、いずれも、支柱やフレームからなる支持体に、平板状のパネル体を取り付けることになる。こうしたパネル体の取り付け方法としては、パネル裏面に設けた係止爪を基本構造体の取付面に形成した被係止部に係止させて構成したものが多い（例えば、特許文献１〜４参照）。
これらの方法によれば、施工時には、パネル体の係止爪を、支持体の被係止部に係止させるだけでパネル体を取り付けることができるため、簡易的で安価な構造でありながら、基本構造体へのパネル体取り付け時における作業性が良好となっている。
【先行技術文献】
【特許文献】
【０００４】
【特許文献１】実開昭５５−１７８５０９号公報
【特許文献２】実開昭５９−１０４９０８号公報
【特許文献３】特開２００８−１２１３１４号公報
【特許文献４】特開２０００−１９２５８０号公報
【発明の概要】
【発明が解決しようとする課題】
【０００５】
しかし、下向きに突出したフック状の係止爪を、被係止部として支持体に形成したスリットや孔に上方から差し込むことによって、パネル体を取り付けた場合、下方から外力が加えられてしまうとパネル体が脱落してしまう可能性がある。
そこで、係止爪が被係止部から抜けるのを防止する抜け止め手段を追加したものもあるが、構造が複雑になることでのコスト上昇、取付作業の複雑化といった不具合がある。
そこでなされた本発明の目的は、低コストで、しかも支持体に対するパネル体の取付を容易に行うことのできる壁パネル装置を提供することである。
【課題を解決するための手段】
【０００６】
本発明は、上記課題を解決するため、以下の手段を採用する。
すなわち、本発明は、上下方向に延びる支持体と、前記支持体に支持された横架材と、前記横架材の上方および下方の少なくとも一方に配置され、前記横架材の両端部外側に隣接した部分で前記支持体の表面に沿う押さえ片を有したパネル体と、前記押さえ片を前記支持体の表面に固定する押さえ部材と、を備えることを特徴とする。
このように、パネル体の押さえ片を、押さえ部材によって支持体の表面に固定することによって、係止爪を被係止部に上方から差し込んで係止させたパネル体であっても、パネル体を確実に支持体に固定できる。このような構成は、非常に簡素であり、その取付作業も容易に行える。
【０００７】
前記横架材は、一対の前記支柱を結ぶ方向に連続して、物品を係止可能な溝が形成されているようにしてもよい。
これにより、壁パネルユニットに、各種の物品を係止させることが可能となる。
【０００８】
前記押さえ部材は、隣接する前記横架材の前記溝に連続する溝部を備えていても良い。
これにより、押さえ部材を、横架材と同様に、各種の物品を係止するために用いることができる。また、押さえ部材が横架材に連続した外観をなすので、壁パネル装置の外観を損なうのを防ぐことができる。
【０００９】
さらに、前記押さえ部材の前記溝部には、前記横架材に隣接する側と反対側の端部に、前記溝部の底面から突出するストッパ部が形成されているものとしても良い。これによって、横架材の溝に連続する押さえ部材の溝部を、閉鎖端とすることができ、係止した物品が脱落するのを防止できる。
【００１０】
また、前記押さえ片に貫通孔または凹部が形成され、前記押さえ部材には、前記押さえ片に対向する側に前記貫通孔または前記凹部に嵌り込む凸部が形成されているようにしても良い。
これにより、押さえ片の位置ズレ、つまりパネル体の位置ズレを防止することができ、パネル体を確実に固定することができる。
【発明の効果】
【００１１】
本発明によれば、支持体に対するパネル体の取付を容易に行うことが可能となる壁パネル装置を低コストで提供できる。
【図面の簡単な説明】
【００１２】
【図１】本発明の壁パネル装置を適用した壁パネルユニットの一例を示す正面図である。
【図２】壁パネルユニットのフレームの構成を示す正面図である。
【図３】レール部の部分におけるフレームの側断面図である。
【図４】支柱の断面構造、およびレール部の端部に隣接した部分における壁パネルの固定構造を示す斜視図である。
【図５】連結部材を示す図であり、（ａ）は平面図、（ｂ）は正面図である。
【図６】支柱に形成された係止孔を示す正面図である。
【図７】壁パネルを示す図であり、（ａ）は側面図、（ｂ）は背面図である。
【図８】フレームの上端部におけるフレームの側断面図である。
【図９】レール部の端部に隣接した部分において壁パネルの固定するための押さえ部材の設置状態を示す図であり、（ａ）はストッパ壁を有した押さえ部材を設置した例、（ｂ）はストッパ壁を有さない押さえ部材を設置した例を示す図である。
【図１０】押さえ部材を示す図であり、（ａ）は正面斜視図、（ｂ）は背面斜視図である。
【図１１】押さえ部材を示す図であり、（ａ）は側面図、（ｂ）は正面図、（ｃ）は（ｂ）のＡ−Ａ断面図である。
【発明を実施するための形態】
【００１３】
以下、添付図面を参照して、本発明による壁パネル装置の実施形態について説明する。しかし、本発明はこの実施形態のみに限定されるものではない。
図１に示すように、病院や介護施設等の病室の壁面１００に設置される壁パネルユニット（壁パネル装置）１０は、１枚、あるいは複数枚のパネル体１１からなる（図１の例では１枚のパネル体）。
図１、図２、図３に示すように、パネル体１１は、壁面１００に沿って固定されるフレーム２０と、各種オプション部材を支持可能なレール部材（横架材）３０と、フレーム２０に設けられる壁パネル（パネル体）４０と、を備えている。
ここで、以下の説明において、各パネル体１１を壁面１００に沿って設置した状態で、壁面１００に対向する側を後方、その反対側（壁面１００から離間する側）を前方と称する。
【００１４】
図２に示すように、フレーム２０は、上下方向に延び、互いに平行に配置された二本一対の支柱（支持体）２１，２１と、これら支柱２１，２１間に架設され、水平方向に延びる連結部材２２と、を少なくとも備えている。
【００１５】
図４に示すように、支柱２１は、第一支柱部材２３と第二支柱部材２４とから形成されている。第一支柱部材２３は、上下方向に延びて支柱２１の前面部２１ａを形成する前面板２３ａと、前面板２３ａの幅方向両側から、前面板２３ａに直交して後方に延びる一対の側板２３ｂ，２３ｂとを有する。第二支柱部材２４は、第一支柱部材２３の側板２３ｂ，２３ｂ間において前面板２３ａの後方に間隔を隔てて位置する後板２４ａと、後板２４ａの幅方向両側から、一対の側板２３ｂ，２３ｂに沿って後方に延びる側板２４ｂ，２４ｂと、を有する。そして、第一支柱部材２３の側板２３ｂ，２３ｂと第二支柱部材２４の側板２４ｂ、２４ｂとが、溶接等によって接合されることによって、支柱２１が形成されている。
【００１６】
図２に示すように、二本一対の支柱２１，２１は、その上下の端部において、水平方向に延びる上部連結材２７，下部連結材２８によって連結されている。ここで、上部連結材２７，下部連結材２８と支柱２１，２１との連結方法は、ボルト、係止フック等、いかなる構成を採用しても良い。また、下部連結材２８の下面には、一対の脚部２９，２９が設けられており、この脚部２９，２９を床面Ｆに接地させることで、フレーム２０が床面上に立脚して設置される。
【００１７】
図５に示すように、連結部材２２は、水平方向に延びる横桟材２５と、横桟材２５の両端部において、連結部材２２を支柱２１に連結する連結プレート部２６，２６と、を備えている。横桟材２５は、鉛直面内に位置する背面部２５ａと、背面部２５ａの上下から前方に直交して延びるリブ部２５ｂ、２５ｂとを備えている。連結プレート部２６は、横桟材２５の背面部２５ａに対して前方に延びるよう形成され、連結部材２２を、支柱２１の側面２１ｂ（上記第一支柱部材２３の側板２３ｂ）に連結する。
このような連結部材２２は、連結プレート部２６，２６と、両側の支柱２１，２１の側面２１ｂ、２１ｂとに、ネジ部材９０で締結することによって、支柱２１，２１間に固定される。
【００１８】
ここで、図３、図５に示すように、連結部材２２は、横桟材２５が支柱２１の前後方向の中心に対して後方にオフセットして配置されている。また、横桟材２５は、その厚さＴ１が、支柱２１の前後方向の厚さＴ２に対し、半分以下に薄く形成されている。そして、横桟材２５の背面部２５ａは、支柱２１の後端部２１ｃと同一面内に位置するよう設けられている。
【００１９】
図２に示すように、上記連結部材２２は、支柱２１，２１間において、上部連結材２７と下部連結材２８との間で、上下方向に適宜間隔を隔てて複数本が配置されている。
レール部材３０は、支柱２１，２１間において、上下方向に間隔を隔て、それぞれ予め定めた高さに架設されている。
図３に示すように、各レール部材３０は、その軸線に直交する方向に断面視で、矩形の中空筒状のチューブ部３１と、チューブ部３１の前面側に一体に形成されたレール部３２と、を備えている。
【００２０】
チューブ部３１は、背面部３１ａと、背面部３１ａと前後方向に間隔を隔てて平行に形成された前面部３１ｂと、背面部３１ａと前面部３１ｂとを上下の端部でそれぞれ接続する上面部３１ｃ，下面部３１ｄと、背面部３１ａと前面部３１ｂとを上下方向中間部で接続する補強板部３１ｅと、を有している。
【００２１】
レール部３２は、その軸線に直交する方向に断面視で、上下に間隔を隔てて前面部３１ｂから前方に延びるよう形成された一対のサポート部３２ａ，３２ｂと、サポート部３２ａ，３２ｂ間に設けられたレール背面部３２ｃと、レール背面部３２ｃの上下からそれぞれ前方に延びるレール壁部３２ｄ，３２ｅと、が一体に形成されている。上方のレール壁部３２ｄは、前端部に下方に延びる爪部３２ｆを備え、下方のレール壁部３２ｅは、前端部に上方に延びる爪部３２ｇを有している。これにより、レール部３２は、レール背面部３２ｃ、レール壁部３２ｄ，３２ｅ、爪部３２ｆ，３２ｇに囲まれて、レール部３２の軸線方向（支柱２１，２１を結ぶ方向）に連続する、いわゆるアリ溝状の溝３３が形成されている。レール部材３０は、この溝３３に、モニター装置や、棚等の各種物品を、図示しないブラケット等を介して係止させることができるようになっている。
【００２２】
チューブ部３１の前面部３１ｂには、レール部３２の上方と下方のそれぞれに、前方に向けて突出するストッパ部３５が形成されている。このストッパ部３５は、後述する壁パネル４０の背面が突き当たるようになっている。
また、レール部３２には、レール壁部３２ｄ，３２ｅから上下に延びるストッパ部３６，３７が一体に形成されている。このストッパ部３６，３７には、レール部３２の上方に配置された壁パネル４０の下端が突き当たり、ストッパ部３７には、レール部３２の下方に配置された壁パネル４０の上端が突き当たる。
【００２３】
上記レール部材３０は、その両端面にそれぞれ雌ネジ部３４を備えており、図６に示すように、支柱２１の側面２１ｂにビス９１等によって締結される。これによって、溝３３を有したレール部３２は、支柱２１，２１の間のみ、つまり、支柱２１，２１の側面２１ｂ，２１ｂの内側に設けられている。つまり、レール部３２の両端部の外側に隣接して、支柱２１，２１の前面部２１ａが露出される。
また、図３に戻り、レール部材３０は、背面部３１ａからストッパ部３５の先端部までの厚さＴ３が、支柱２１の前後方向の厚さＴ２の半分以下に形成されている。そして、このレール部材３０は、ストッパ部３５，３５の先端部が支柱２１の前面部２１ａと同一面内位置するよう、支柱２１の前後方向の中心に対して前方にオフセットして配置される。
さらに、レール部材３０は、その両端部が両側の支柱２１，２１に締結されることによって、フレーム２０の一部を構成し、その補強要素としても機能する。
【００２４】
図１に示すように、壁パネル４０は、壁パネルユニット１０において、レール部材３０が設けられた部分以外の領域を塞ぐよう、最上部のレール部材３０から壁パネルユニット１０の上端１０ａまでの間、最下部のレール部材３０から壁パネルユニット１０の下端１０ｂまでの間、および互いに上下に位置する二本のレール部材３０，３０の間にそれぞれ配置される。
【００２５】
図７に示すように、各壁パネル４０は、パネル本体４１と、パネル本体４１の幅方向両側のそれぞれに設けられた上部係止金具４２および下部係止金具４３と、を備えている。
【００２６】
パネル本体４１は、フレーム２０に取り付けたときに前方を向く前面部４１ａと、前面部４１ａの外周部から後方に折り曲げられた周壁部４１ｂと、周壁部４１ｂの後端部からパネル本体４１の内方に向けて折り曲げられた折り返し部４１ｃと、を備えている。このパネル本体４１は、フレーム２０に取り付けた状態で、支柱２１の前面部２１ａを覆うよう、その幅寸法が設定されている。
前面部４１ａの後面側には、前面部４１ａの補強、共振の防止等のために、例えばハニカム状の補強材や、スポンジ等を設けることもできる。
【００２７】
上部係止金具４２および下部係止金具４３は、フレーム２０を構成する支柱２１，２１またはレール部材３０に係止されるようになっている。
本実施形態においては、図８に示すように、最上部に位置する壁パネル（パネル体）４０Ａにおいては、上部係止金具４２は、パネル本体４１の前面部４１ａから後方に延びて設けられ、下方に向けて突出した爪部４２ａを有したフック状をなしている。
図３に示すように、最上部に位置する壁パネル４０Ａ以外の壁パネル（パネル体）４０Ｂ，４０Ｃ，４０Ｄは、上部係止金具４２は、上方に凸となり、下方に向けて弾性変形可能な弾性突起部４２ｂを有している。
また、下部係止金具４３は、壁パネル４０Ａ，４０Ｂ，４０Ｃ，４０Ｄは、いずれも、パネル本体４１の前面部４１ａから後方に延びて設けられ、下方に向けて突出した爪部４３ａを有したフック状をなしている。
【００２８】
一方、図６に示すように、支柱２１の前面部２１ａには、各壁パネル４０の上部係止金具４２，下部係止金具４３を係止させるための係止孔９３，９４が、それぞれの上部係止金具４２，下部係止金具４３の形状に応じて形成されている。
【００２９】
そして、図３，図８に示すように、最上部の壁パネル４０Ａの上部係止金具４２、下部係止金具４３は、爪部４２ａが支柱２１の係止孔９３に挿入されるとともに、爪部４３ａが係止孔９４に挿入されて自重により下方にスライドすることで、フレーム２０に装着される。
また、図３に示すように、それ以外の壁パネル４０Ｂ，４０Ｃ，４０Ｄは、下部係止金具４３の爪部４３ａを支柱２１の前面部２１ａに形成された係止孔９４に挿入して係止させた後、上部係止金具４２を、弾性突起部４２ｂを弾性変形させて係止孔９３に押し込むことで、フレーム２０に装着される。
【００３０】
また、図４に示すように、各レール部材３０を挟んで互いに上下に位置する二枚の壁パネル４０，４０には、パネル本体４１の幅方向両側に、押さえ片４４，４５が設けられている。
レール部材３０の上方に位置する壁パネル４０の押さえ片４４と、レール部材３０の下方に位置する壁パネル４０の押さえ片４５は、レール部材３０の両端部に隣接した位置に露出する支柱２１の前面部２１ａにそれぞれ突き当たるようになっている。ここで、レール部材３０の上方に位置する壁パネル４０の押さえ片４４と、レール部材３０の下方に位置する壁パネル４０の押さえ片４５は、支柱２１の前面部２１ａに対し、前面部２１ａの幅方向に互いにオフセットし、前面部２１ａに突き当たった状態で、押さえ片４４，４５は互いに隣接するようになっている。
【００３１】
押さえ片４４，４５には、それぞれ貫通孔４４ａ，４５ａが形成されている。そして、支柱２１の前面部２１ａには、押さえ片４４，４５の貫通孔４４ａ，４５ａのいずれか一方（図４の図示例では押さえ片４４の貫通孔４４ａ）に対向する位置に、ネジ孔４６が形成されている。
【００３２】
図９（ａ）に示すように、レール部材３０の端部に隣接した位置には、押さえ片４４，４５（図４参照）を覆う押さえ部材５０が装着される。
図１０、図１１に示すように、押さえ部材５０は、レール部材３０と同様の断面形状であり、レール背面部５０ｃと、レール背面部５０ｃの上下からそれぞれ前方に延びるレール壁部５０ｄ，５０ｅと、が一体に形成されている。上方のレール壁部５０ｄは、前端部に下方に延びる爪部５０ｆを備え、下方のレール壁部５０ｅは、前端部に上方に延びる爪部５０ｇを有している。これにより、押さえ部材５０は、レール部材３０の溝３３と同じ断面形状の溝（溝部）５４を有している。
押さえ部材５０の後面５０ａには、押さえ片４４，４５の貫通孔４４ａ，４５ａに挿入可能な凸部５１，５２が形成されている。さらに、押さえ部材５０には、一方の凸部５１に対応する位置に、貫通孔５３が形成されている。貫通孔５３は、支柱２１の前面部２１ａに対向する側が、ネジ孔４６と略同径で、ボルト５５の頭部よりも小径とされた縮径部５３ａとされている。図１１（ｃ）に示すように、貫通孔５３を通して支柱２１の前面部２１ａに形成されたネジ孔４６にボルト５５をねじ込むことで、押さえ片４４，４５を支柱２１の前面部２１ａと押さえ部材５０との間に挟み込むことができる。このとき、凸部５１，５２が押さえ片４４，４５の貫通孔４４ａ，４５ａに嵌り込むようになっている。
この状態で、図９（ａ），（ｂ）に示すように、押さえ部材５０に形成された溝５４が、レール部材３０の溝３３に連続するようになっている。
【００３３】
なお、押さえ部材５０は、図９（ａ）に示すように、押さえ部材５０の溝５４において、レール部材３０の端部に隣接する側とは反対側の、パネル体１１の外周側の端部に、溝５４の底面５４ａから前方に突出するストッパ壁（ストッパ部）５６を設けることができる。これにより、レール部材３０の溝３３に連続する溝５４を、押さえ部材５０において閉鎖端とすることができ、係止した物品が脱落するのを確実に防止できる。
また、図９（ｂ）に示すように、複数枚のパネル体１１を並べて配置する場合、押さえ部材５０を、ストッパ壁５６を備えない構成として、互いに隣接するパネル体１１，１１で、溝５４，５４を連続させるようにしても良い。
【００３４】
図１に示すように、各パネル体１１の壁パネル４０には、電源用のコンセントボックス１１０、医療用ガスのガス接続ボックス１１２、照明装置１１３、ナースコールスイッチ１１４、照明スイッチ１１５等の他、医療用モニター機器、ナースコールス、テレビ、電話等の配線接続ボックスを設けることができる。このため、壁パネル４０のパネル本体４１（図３参照）には、これらの配線接続ボックス１１１、ガス接続ボックス１１２、照明装置１１３、ナースコールスイッチ１１４、照明スイッチ１１５等を取り付けるための開口部を、壁パネル４０の製作時に予め形成しておく。
【００３５】
上記壁パネルユニット１０を壁面１００に設置するには、予め、工場において、各パネル体１１を構成する各部材を製作しておき、これを設置現場に搬入する。
そして、まず、フレーム２０を組み立て、レール部材３０をフレーム２０に組み付ける。
ついで、フレーム２０を立てて壁面１００に沿わせ、連結部材２２を壁面１００にビスや取付金具等の適宜固定手段を用いて固定する。
この後、フレーム２０において、後方の壁面１００側にオフセットした連結部材２２と、前方にオフセットしたレール部材３０との間の空間に、配管や配線を通す。
そして、フレーム２０に、各壁パネル４０を取り付ける。このとき、壁パネル４０に、配線接続ボックス１１１、ガス接続ボックス１１２や照明装置１１３等を取り付ける開口部が形成されている場合には、配線接続ボックス１１１、ガス接続ボックス１１２や照明装置１１３に配管や配線を接続した後に開口部に固定しておく。
壁パネル４０をフレーム２０に取り付けるには、まず、上部係止金具４２および下部係止金具４３により壁パネル４０を支柱２１に係止させる。次いで、レール部材３０の両側において、押さえ片４４，４５を覆うように押さえ部材５０を配置して、ボルト５５をねじ込むことで、押さえ片４４，４５を支柱２１の前面部２１ａと押さえ部材５０との間に挟み込んで固定する。
【００３６】
複数枚のパネル体１１によって壁パネルユニット１０を構成する場合には、上記の作業をそれぞれのパネル体１１に対して同様に行う。
【００３７】
このようにして設置した壁パネルユニット１０に対しては、レール部材３０に、モニターや棚等、各種の物品を装着することができる。
【００３８】
上述したような構成によれば、壁パネル４０は、レール部材３０の端部に隣接して露出した支柱２１の前面部２１ａに沿う押さえ片４４，４５を有し、これらの押さえ片４４，４５を押さえ部材５０によって固定するようにした。これによって、壁パネル４０を、フレーム２０に対し、簡易な構成で、容易かつ確実に固定できる。これにより、低コストで壁パネルユニット１０を提供することが可能となる。
しかも、この押さえ部材５０は、その前面に、レール部材３０の溝３３に連続する溝５４が形成されているので、押さえ部材５０を、レール部材３０と同様に、各種の物品の装着に用いることができる。また、これによって、押さえ部材５０がレール部材３０と一体化した外観をなすので、壁パネルユニット１０の外観を損なうこともない。
【００３９】
加えて、押さえ片４４，４５には貫通孔４４ａ，４５ａが形成され、押さえ部材５０の後面５０ａには凸部５１，５２が形成され、凸部５１，５２が押さえ片４４，４５の貫通孔４４ａ，４５ａに嵌り込むようになっている。これにより、押さえ片４４，４５の位置ズレ、つまり壁パネル４０の位置ズレを防止することができ、壁パネル４０を確実に固定することができる。
そして、押さえ部材５０は、一方の凸部５１に対応する位置に、貫通孔５３が形成されており、この貫通孔５３を通して支柱２１の前面部２１ａに形成されたネジ孔４６にボルト５５をねじ込むようになっている。これにより、押さえ片４４，４５を支柱２１の前面部２１ａと押さえ部材５０との間に挟み込んで、壁パネル４０を確実に固定することができる。
【００４０】
（その他の実施形態）
なお、本発明は、図面を参照して説明した上述の各実施形態に限定されるものではなく、その技術的範囲において様々な変形例が考えられる。
例えば、押さえ片４４，４５の貫通孔４４ａ，４５ａに代えて、凹部を形成し、この凹部に凸部５１，５２を嵌め込むようにしても良い。
【００４１】
また、壁パネル４０を支持する支持体として、フレーム２０の支柱２１を用いたが、支持体は平板状であっても良い。
さらに、上記実施形態では、レール部材３０の上下の壁パネル４０に対し、押さえ片４４，４５と押さえ部材５０による固定構造を適用したが、レール部材３０の上下の一方の壁パネル４０のみに適用することも可能である。
【００４２】
また、レール部材３０には、溝３３を設ける構成としているが、溝３３を省略し、その前面をパネル本体４１の前面部４１ａに連続する平滑面とすることも可能である。
【００４３】
さらに、壁パネル４０の固定構造や、固定のための手順等も本発明の主旨の範囲内であれば、他のいかなる構成を採用しても良い。
加えて、壁パネルユニット１０の用途は、病室用に限らず、オフィス等の執務空間、住居等、いかなるものであっても良い。
さらに、壁面１００に沿って設ける壁パネルユニット１０に限らず、床面上に立設するのであれば、間仕切り装置等、他の壁パネル装置に本発明を適用することが可能である。
これ以外にも、本発明の主旨を逸脱しない限り、上記実施の形態で挙げた構成を取捨選択したり、他の構成に適宜変更することが可能である。
【符号の説明】
【００４４】
１０  壁パネルユニット（壁パネル装置）
１１  パネル体
２０  フレーム
２１  支柱（支持体）
２１ａ  前面部
２１ｂ  側面
２１ｃ  後端部
２２  連結部材
２３  第一支柱部材
２３ａ  前面板
２３ｂ  側板
２４  第二支柱部材
２４ａ  後板
２４ｂ  側板
２５  横桟材
２５ａ  背面部
２５ｂ  リブ部
２６  連結プレート部
２７  上部連結材
２８  下部連結材
２９  脚部
３０  レール部材（横架材）
３１  チューブ部
３１ａ  背面部
３１ｂ  前面部
３１ｃ  上面部
３１ｄ  下面部
３１ｅ  補強板部
３２  レール部
３２ａ，３２ｂ  サポート部
３２ｃ  レール背面部
３２ｄ，３２ｅ  レール壁部
３２ｆ，３２ｇ  爪部
３３  溝
３４  雌ネジ部
３５  ストッパ部
４０，４０Ａ，４０Ｂ，４０Ｃ，４０Ｄ  壁パネル（パネル体）
４１  パネル本体
４１ａ  前面部
４１ｂ  周壁部
４１ｃ  折り返し部
４２  上部係止金具
４２ａ  爪部
４２ｂ  弾性突起部
４３  下部係止金具
４３ａ  爪部
４４，４５  押さえ片
４４ａ，４５ａ  貫通孔
４６  ネジ孔
４８  補強材
５０  押さえ部材
５０ａ  後面
５０ｃ  レール背面部
５０ｄ，５０ｅ  レール壁部
５０ｆ，５０ｇ  爪部
５１，５２  凸部
５３  貫通孔
５４  溝（溝部）
５４ａ  底面
５５  ボルト
５６  ストッパ壁（ストッパ部）
１００  壁面
１１０  コンセントボックス
１１１  配線接続ボックス
１１２  ガス接続ボックス
１１３  照明装置
【図１】
2014091985.tif 000003
【図２】
2014091985.tif 000004
【図３】
2014091985.tif 000005
【図４】
2014091985.tif 000006
【図５】
2014091985.tif 000007
【図６】
2014091985.tif 000008
【図７】
2014091985.tif 000009
【図８】
2014091985.tif 000010
【図９】
2014091985.tif 000011
【図１０】
2014091985.tif 000012
【図１１】
2014091985.tif 000013